【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
圧着および切断機器であって、
第一の側面、対向する第二の側面、および前記第二の側面上に配置されたフェルール係合縁を有するハンマー頭部と、
先端および手前端を有する先端片とを含み、
前記先端片が前記ハンマー頭部を収容するハンマー頭部開口部を有し、前記ハンマー頭部開口部が前記先端片の先端から前記先端片の手前端まで延びており、前記先端片が更に、前記先端片の先端の近くにフェルール受容開口部と、前記ハンマー頭部開口部内に刃先を有し、前記刃先が前記フェルール受容開口部の近傍に配置されている、
機器。
【請求項２】
請求項１に記載の圧着および切断機器において、前記ハンマー頭部が更に前記ハンマー頭部の第一の側面に配置された第一のカム作用面を含み、前記先端片の先端の近傍にあって前記フェルール受容開口部に対向する第二のカム作用面を前記先端片が含む、機器。
【請求項３】
請求項２に記載の圧着および切断機器において、前記ハンマー頭部の手前側への移動がハンマー頭部を前記フェルール受容開口部へ向ける、機器。
【請求項４】
請求項２に記載の圧着および切断機器において、前記第二のカム作用面が前記ハンマー頭部開口部の壁を形成して、前記先端片の先端へ向けて広がっている、機器。
【請求項５】
請求項２に記載の圧着および切断機器において、前記ハンマー頭部が前記先端片の先端にある場合に、前記第一のカム作用面および第二のカム作用面が同一平面内で当接する、機器。
【請求項６】
請求項２に記載の圧着および切断機器において、前記ハンマー頭部が前記フェルール受容開口部の手前側へ引っ張られた場合には、前記第一のカム作用面が第二のカム作用面に当接しない、機器。
【請求項７】
請求項１に記載の圧着および切断機器において、前記先端片が更に、前記先端片の先端と手前端の間の開口部を含み、前記刃先が前記開口部の先端側に配置されている、機器。
【請求項８】
請求項１に記載の圧着および切断機器において、前記先端片内における前記ハンマー頭部が手前側へ移動することにより、前記ハンマー頭部が前記先端のフェルール受容開口部を通過した後で、前記ハンマー頭部のフェルール係合縁が前記刃先に接触する、機器。
【請求項９】
請求項１に記載の圧着および切断機器において、前記先端片が先端外径および手前端外径を含み、先端外径が手前端外径よりも大きい、機器。
【請求項１０】
請求項１に記載の圧着および切断機器において、トリガーを有するハンドルアセンブリを更に含み、前記トリガーの起動により前記ハンマー頭部が前記先端内で手前側へ引っ張られる、機器。
【請求項１１】
請求項１０に記載の圧着および切断機器において、安全ボタンを更に含み、前記安全ボタンが押下されるまでは前記トリガーが起動不可能である、機器。
【請求項１２】
請求項１０に記載の圧着および切断機器において、前記ハンドルアセンブリ内に調整ネジを更に含み、前記調整ネジにより、前記ハンマー頭部を前記ハンドルアセンブリに結合している中心ロッドの長さが調節可能である、機器。
【請求項１３】
請求項１に記載の圧着および切断機器において、前記先端片の手前端から延びるチューブ状部分を更に含み、前記チューブ状部分に搭載されていて、前記チューブ状部分に沿って摺動可能な縫合糸装填アセンブリを更に含む、機器。
【請求項１４】
請求項１に記載の圧着および切断機器において、前記縫合糸装填アセンブリが、前記フェルール受容開口部を挿通可能なループを含む、機器。
【請求項１５】
外科用器具のハンドルアセンブリであって、
トリガー部材と、
安全ボタンと、
を含み、前記安全ボタンが押下されるまでは前記トリガー部材が移動不可能である、
アセンブリ。
【請求項１６】
請求項１５に記載のハンドルアセンブリにおいて、第一の側片および第二の側片を更に含み、前記トリガー部材が前記第一の側片および第二の側片内で回動可能である、アセンブリ。
【請求項１７】
請求項１６に記載のハンドルアセンブリにおいて、前記安全ボタンが、係合可能端部を有し、ハンドルアセンブリのいずれかの側片を貫通して延びるピンを含む、アセンブリ。
【請求項１８】
請求項１７に記載のハンドルアセンブリにおいて、前記安全ボタンが、第一の側片を貫通し延びる第一のピンおよび第二の側片を貫通して延びる第二のピンを含む、アセンブリ。
【請求項１９】
請求項１７に記載のハンドルアセンブリにおいて、前記ピンを囲むバネを更に含む、アセンブリ。
【請求項２０】
請求項１７に記載のハンドルアセンブリにおいて、前記安全ボタンが少なくとも２個のリブを含み、隣接するリブの各対が間隙により分離されている、アセンブリ。
【請求項２１】
請求項２０に記載のハンドルアセンブリにおいて、前記安全ボタンが第一の側方リブ、第二の側方リブ、および中間リブを含み、第一の間隙が前記第一の側方リブと中間リブの間に配置されていて、第二の間隙が前記第二の側方リブと中間リブの間に配置されているアセンブリ。
【請求項２２】
請求項２０のハンドルアセンブリにおいて、前記トリガー部材が安全ボタン係合部材を含み、前記安全ボタンのピンの係合可能端部が押下されていない場合、トリガーを動かそうとしたならば前記トリガーの安全ボタン係合部材がリブに当接し、更に、前記安全ボタンのピンの係合可能端部が押下された場合、前記トリガーの安全ボタン係合部材が１対の隣接するリブの間で摺動する、アセンブリ。
【請求項２３】
請求項２２に記載のハンドルアセンブリにおいて、前記安全ボタン係合部材がフック形である、アセンブリ。
【請求項２４】
請求項１８に記載のハンドルアセンブリにおいて、前記安全ボタンが、前記第一のピンに隣接する第一の側方リブ、前記第二のピンに隣接する第二の側方リブ、および中間リブを含み、前記第一の側方リブと中間リブの間に第一の間隙が配置され、前記第二の側方リブと中間リブの間に第二の間隙が配置されている、アセンブリ。
【請求項２５】
請求項２４に記載のハンドルアセンブリにおいて、前記第一のピンを囲む第一のバネ、および前記第二のピンを囲む第二のバネを更に含む、アセンブリ。
【請求項２６】
請求項２５に記載のハンドルアセンブリにおいて、前記第一の側片および第二の側片が各々、前記第一のピンおよび第二のピンを通すための開口部を含み、各開口部が前記第一のバネおよび第二のバネを据えるためのポケットを含み、各ポケットの直径が各開口部の直径よりも大きい、アセンブリ。
【請求項２７】
請求項１６に記載のハンドルアセンブリにおいて、前記トリガーがバネ収容部材を含み、前記トリガーのバネ収容部材と、前記第一の側片内または第二の側片内のいずれかの突起との間に結合されているトリガーバネを更に含む、アセンブリ。
【請求項２８】
請求項１６に記載のハンドルアセンブリにおいて、前記第一の側片と第二の側片の間に配置された調整ネジを更に含み、ハンドルアセンブリの先端から延びるロッドの長さを前記調整ネジが調整する、アセンブリ。
【請求項２９】
請求項２８に記載のハンドルアセンブリにおいて、前記調整ネジが調節可能であるのは前記第一の側片を第二の側片に固定する以前に限られる、アセンブリ。
【請求項３０】
外科用器具であって、
ハンドルアセンブリと、
前記ハンドルアセンブリの先端から延びるロッド部材と、
前記ハンドルアセンブリ内に、ロッド部材の手前端上に配置された調整ネジと、を含み、
前記ハンドルアセンブリ外側のロッド部材の長さが前記調整ネジにより変更可能である、器具。
【請求項３１】
請求項３０に記載の外科用器具において、前記ロッド部材の縦軸が前記調整ネジの縦軸と一致する、器具。
【請求項３２】
請求項３０に記載の外科用器具において、前記ロッド部材の手前端を貫通させて据えるためのボアを前記調整ネジが含む、器具。
【請求項３３】
請求項３０に記載の外科用器具において、前記調整ネジが前記ハンドルアセンブリ内に格納されていて、外科用器具が製造された後では手が届かない、器具。
【請求項３４】
請求項３０に記載の外科用器具において、前記調整ネジが、ロッド部材上の雄ネジと係合する雌ネジを含む、器具。
【請求項３５】
外科用器具に縫合材料を挿通させる縫合糸装填アセンブリであって、
本体と、
本体を前記外科用器具に取り付けるべく本体から延びている取付部材と、
本体の先端から伸長する可撓性ループを含む、
アセンブリ。
【請求項３６】
請求項３５に記載の縫合糸装填アセンブリにおいて、ループが延びて出るボアを本体が含む、アセンブリ。
【請求項３７】
請求項３５に記載の縫合糸装填アセンブリにおいて、前記取付部材が本体から延びる２本のレッグを含み、各レッグの内側部分が湾曲していて前記外科用器具の円筒部材を受容し、前記取付部材が前記外科用器具の円筒形部材に沿って摺動可能である、アセンブリ。
【請求項３８】
請求項３７に記載の縫合糸装填アセンブリにおいて、指グリップを形成すべく各レッグの外側部分が窪み領域を含んでいる、アセンブリ。
【請求項３９】
請求項３５に記載の縫合糸装填アセンブリにおいて、本体の一部を囲むキャップを更に含む、アセンブリ。
【請求項４０】
請求項３９に記載の縫合糸装填アセンブリにおいて、前記キャップが指グリップを含む、アセンブリ。
【請求項４１】
請求項４０に記載の縫合糸装填アセンブリにおいて、前記指グリップが前記キャップ側面の窪みである、アセンブリ。
【請求項４２】
請求項３９に記載の縫合糸装填アセンブリにおいて、前記キャップが、本体をおよび取付部材を収容するための開口部を含む、アセンブリ。
【請求項４３】
請求項３５に記載の縫合糸装填アセンブリにおいて、前記ループがワイヤから作られている、アセンブリ。
【請求項４４】
請求項４３に記載の縫合糸装填アセンブリにおいて、前記ワイヤを本体に保持すべく本体の手前端の内部に挿入されたプラグを更に含むアセンブリ。
【請求項４５】
縫合糸固定装置および縫合糸装填アセンブリの組合せであって、
前記縫合糸固定装置が、
先端および手前端を有する細長いチューブ状部分を含み、前記先端はフェルール受容開口部を含み、手前端はハンドルアセンブリに取り付けられ、
縫合糸装填アセンブリが、
本体と、
本体を前記縫合糸固定装置の前記細長いチューブ状部分に取り付けるべく本体から延びている取付部材と、
本体の先端から延びる可撓性ループと、を含む、
組合せ。
【請求項４６】
請求項４５に記載の組合せにおいて、前記ループが前記フェルール受容開口部に挿通される、組合せ。
【請求項４７】
請求項４５に記載の組合せにおいて、前記取付部材が縫合糸固定装置のチューブ状部分に沿って摺動可能である、組合せ。
【請求項４８】
請求項４７に記載の組合せにおいて、前記取付部材が本体から延びる２本のレッグを含み、縫合糸固定装置のチューブ状部分を受容すべく各レッグの内側が湾曲している、組合せ。
【請求項４９】
請求項４８に記載の組合せにおいて、指グリップを提供すべく各レッグの外側が窪んだ領域を含む、
組合せ。
【請求項５０】
請求項４５に記載の組合せにおいて、前記縫合糸装填アセンブリが、本体および取付部材を囲むキャップを更に含んでいて、前記キャップがチューブ状部分を越えて延びている、組合せ。
【請求項５１】
請求項５０に記載の組合せにおいて、前記キャップが指グリップとして利用可能な１対の窪みを含む、組合せ。
【請求項５２】
請求項４５に記載の組合せにおいて、前記縫合糸固定装置が更に、細長いチューブ状部分にアパーチャを含み、前記アパーチャが前記フェルール受容開口部の近傍に配置されていて、前記可撓性ループが、前記フェルール受容開口部に挿通される前に前記アパーチャに挿通される、組合せ。
【請求項５３】
請求項５２に記載の組合せにおいて、前記フェルール受容開口部に配置されたフェルールを更に含み、前記可撓性ループが前記フェルールに挿通されている、組合せ。
【請求項５４】
請求項４５に記載の組合せにおいて、前記ループが、予め形成されたワイヤを略菱形にに曲げて作られている組合せ。
【請求項５５】
圧着および切断機器を用いて縫合材料を固定する方法であって、
縫合材料を機器内のフェルールに挿通させるステップと、
機器の先端を貫通してハンマー頭部を手前側へ移動させて前記フェルールを圧着するステップと、
前記フェルールが圧着された後で、引き続きハンマー頭部を手前側へ移動させて、前記フェルール内の縫合材料を捕捉するステップと、
先端内で刃先にハンマー頭部を当接させて、その間の縫合材料を捕捉するステップと、
縫合材料が切断されるまでハンマー頭部により刃先に圧力をかけるステップと、
を含む方法。
【請求項５６】
請求項５５に記載の方法において、ハンマー頭部を手前側へ動かすステップが、前記圧着および切断機器のハンドルアセンブリ上のトリガーを圧縮するステップを含む、方法。
【請求項５７】
請求項５６に記載の方法において、トリガーを圧縮するステップの前に前記ハンドルアセンブリ上の安全ボタンが押下される、方法。
【請求項５８】
請求項５５に記載の方法において、前記縫合材料をフェルールに挿通させるステップが、前記縫合材料を前記フェルールの先端から延びる可撓性ループに挿通させて、前記縫合材料がフェルールを挿通し終えるまで前記可撓性ループを手前側へ引っ張るステップを含む、方法。
【請求項５９】
請求項５５に記載の方法において、可撓性ループを手前側へ引っ張るステップが、切断および圧着機器のチューブ状部分に搭載されて可撓性ループが取付けられている縫合糸装填アセンブリをチューブ状部分に沿って手前側へ摺動させるステップを含む、方法。
【請求項６０】
縫合糸固定装置に挿通させる方法であって、
前記縫合糸固定装置のチューブ状部分に縫合糸装填アセンブリを搭載するステップと、
前記縫合糸装填アセンブリから延びている可撓性ループを、前記縫合糸装填アセンブリの先端にあるフェルールに挿通させるステップを含む、方法。
【請求項６１】
請求項６０に記載の方法において、前記可撓性ループに縫合材料を挿入するステップを更に含む、方法。
【請求項６２】
請求項６１に記載の方法において、前記縫合材料がフェルールを挿通し終えるまで前記可撓性ループを手前側へ引っ張るステップを更に含む、方法。
【請求項６３】
請求項６２に記載の方法において、可撓性ループを手前側へ引っ張るステップが、縫合糸装填アセンブリを縫合糸固定装置のチューブ状部分に沿って手前側へ摺動させるステップを含む方法。
【請求項６４】
患者の身体内で縫合材料を固定するキットであって、
切断および圧着機器と、
前記切断および圧着機器に装填されるフェルールと、
前記切断および圧着機器のチューブ状部分に搭載された縫合糸装填アセンブリを含み、前記縫合糸装填アセンブリから延びる可撓性ループがフェルールに挿通される、
キット。